(57)【要約】【課題】浴室ユニットと浴室ユニットに隣接する部屋との間に配置される壁材の全体の厚みを小さくして、浴室ユニットの浴室のスペースや浴室ユニットに隣接する部屋のスペースを広くすることができる浴室ユニットを提供すること。【解決手段】浴室ユニット１は、床材１１と、床材１１の外周における上面側に立設される複数の縦フレーム１２１を有するフレーム体１２と、フレーム体１２の内側に取り付けられる内壁材１６と、フレーム体１２の外側に取り付けられる外壁材１８と、を備える浴室ユニット１であって、内壁材１６は、浴室ユニット１の内壁を構成し、外壁材１８は、浴室ユニット１に隣接する部屋の内壁を構成する。【選択図】図１
2016089520.tif 000002
【特許請求の範囲】
【請求項１】
床材と、
前記床材の外周における上面側に立設される複数のフレーム部材を有するフレーム体と、
前記フレーム体の内側に取り付けられる内壁材と、
前記フレーム体の外側に取り付けられる外壁材と、を備える浴室ユニットであって、
前記内壁材は、前記浴室ユニットの内壁を構成し、
前記外壁材は、前記浴室ユニットに隣接する部屋の内壁を構成する浴室ユニット。
【請求項２】
前記外壁材の上端部は、前記隣接する部屋の天井から離間して配置される請求項１に記載の浴室ユニット。
【請求項３】
前記外壁材と前記隣接する部屋の天井との間を埋めるように配置される外壁材隙間埋め部材を備える請求項１又は２に記載の浴室ユニット。
【請求項４】
前記外壁材は、その背面側に、前記フレーム体に吊り下げられる外壁材吊り下げ部材を有する請求項１〜３のいずれかに記載の浴室ユニット。
【請求項５】
前記外壁材の下端部が前記フレーム部材に近づく方向及び前記フレーム部材から離れる方向へ移動することを規制する外壁材規制部を備える請求項１〜４のいずれかに記載の浴室ユニット。
【発明の詳細な説明】
【技術分野】
【０００１】
本発明は、浴室ユニットに関する。
【背景技術】
【０００２】
従来、浴室ユニットに隣接する部屋との間に壁材が設置された状態で、浴室ユニットを設置することが行われている（例えば、特許文献１参照）。
【先行技術文献】
【特許文献】
【０００３】
【特許文献１】特開２００４−１９７２９９号公報
【発明の概要】
【発明が解決しようとする課題】
【０００４】
特許文献１に記載のように、浴室ユニットに隣接する部屋との間に壁材がある状態で浴室ユニットを設置すると、浴室ユニットの浴室と浴室ユニットに隣接する部屋との間には、隣接する部屋との間の壁材と浴室ユニットの壁材との二枚の壁材が存在することになる。浴室ユニットの浴室と浴室ユニットに隣接する部屋との間に二枚の壁材が存在すると、二枚の壁材を合わせた厚みにより壁材の全体の厚みが大きくなる。このような場合には、浴室ユニットの浴室のスペースが狭くなったり、浴室ユニットに隣接する部屋のスペースが狭くなる虞がある。
【０００５】
本発明は、浴室ユニットと浴室ユニットに隣接する部屋との間に配置される壁材の全体の厚みを小さくして、浴室ユニットの浴室のスペースや浴室ユニットに隣接する部屋のスペースを広くすることができる浴室ユニットを提供することを目的とする。
【課題を解決するための手段】
【０００６】
本発明は、床材と、前記床材の外周における上面側に立設される複数のフレーム部材を有するフレーム体と、前記フレーム体の内側に取り付けられる内壁材と、前記フレーム体の外側に取り付けられる外壁材と、を備える浴室ユニットであって、前記内壁材は、前記浴室ユニットの内壁を構成し、前記外壁材は、前記浴室ユニットに隣接する部屋の内壁を構成する浴室ユニットに関する。
【０００７】
また、前記外壁材の上端部は、前記隣接する部屋の天井から離間して配置されることが好ましい。
【０００８】
また、前記外壁材と前記隣接する部屋の天井との間を埋めるように配置される外壁材隙間埋め部材を備えることが好ましい。
【０００９】
また、前記外壁材は、その背面側に、前記フレーム体に吊り下げられる外壁材吊り下げ部材を有することが好ましい。
【００１０】
また、前記外壁材の下端部が前記フレーム部材に近づく方向及び前記フレーム部材から離れる方向へ移動することを規制する外壁材規制部を備えることが好ましい。
【発明の効果】
【００１１】
本発明によれば、浴室ユニットと浴室ユニットに隣接する部屋との間に配置される壁材の全体の厚みを小さくして、浴室ユニットの浴室のスペースや浴室ユニットに隣接する部屋のスペースを広くすることができる浴室ユニットを提供することができる。
【図面の簡単な説明】
【００１２】
【図１】本発明の一実施形態に係る浴室ユニット１を示す側面図である。
【図２】本発明の本実施形態に係る浴室ユニット１において、内壁材１６及び外壁材１８を取り外した状態を示す側面図である。
【図３】本実施形態に係る浴室ユニット１において、外壁材１８を取り付ける方法を説明する図である。
【図４】本実施形態に係る浴室ユニット１において、外壁材１８を取り外す方法を説明する図である。
【発明を実施するための形態】
【００１３】
以下、本発明の浴室ユニットの好ましい一実施形態について、図面を参照しながら説明する。図１は、本発明の第１実施形態に係る浴室ユニット１を示す側面図である。図２は、本発明の本実施形態に係る浴室ユニット１において、内壁材１６及び外壁材１８を取り外した状態を示す側面図である。
【００１４】
浴室ユニット１の主に壁の構成について説明する。なお、浴室ユニット１に用いられる浴槽等の他の構成については、一般的な構成と同様であるため、説明を省略している。
図１及び図２に示すように、本実施形態の浴室ユニット１は、床材１１と、床材１１の上面に配置されるフレーム体１２と、フレーム体１２の上部に取り付けられる天井材１３と、フレーム体１２の内側に取り付けられる内壁材１６と、内壁材隙間埋め部材としての内壁材側モール１７と、フレーム体１２の外側に取り付けられる外壁材１８と、外壁材隙間埋め部材としての外壁材側モール１９と、を備える。なお、フレーム体１２の内側とは、フレーム体１２における床材１１とフレーム体１２とで囲まれた空間側を意味する。  
【００１５】
床材１１は、所定の厚さを有した方形板状に形成される。床材１１は、水平方向に広がるように配置される。床材１１は、設置場所において、コンクリートスラブ２１から所定距離離間して配置される。床材１１の下面には、底上げ部材２０が取り付けられている。床材１１は、底上げ部材２９により、設置場所のコンクリートスラブ２１から底上げされている。
【００１６】
フレーム体１２は、外形が全体として直方体形状の枠体で構成される。フレーム体１２は、床材１１の外周における上面側に床材１１の各角部それぞれから立設される全部で４本の縦フレーム（フレーム部材）１２１と、４本の縦フレーム１２１における隣り合うフレーム同士を縦フレーム１２１の上端部において繋ぐように配置された４本の横フレーム１２２と、複数のバー部材１５と、を有する。
縦フレーム１２１及び横フレーム１２２は、断面が方形の管状に構成される。床材１１と４本の縦フレーム１２１とは、接続部材（不図示）を介して接続され又は溶接により接続される。４本の縦フレーム及び４本の横フレームは、接続部材（不図示）を介して接続される又は溶接により接続される。
【００１７】
複数のバー部材１５は、隣り合う縦フレーム１２１を繋ぐように、天井材１３と床材１１との間において、水平方向に延びる。複数のバー部材１５は、断面が方形の管状に構成される。バー部材１５の両端部は、隣り合う縦フレーム１２１に接続されている。バー部材１５は、上下方向に間隔をあけて、複数配置されている。バー部材１５には、後述する内壁材１６の内壁材フック部材（内壁材吊り下げ部材）１６３及び外壁材１８の外壁材フック部材（外壁材吊り下げ部材）１８３を吊り下げるための取付孔１５１が水平方向に貫通している。取付孔１５１は、フレーム体１２の内側に開口する内壁材側取付孔１５１ａと、フレーム体１２の外側に開口する外壁材側取付孔１５１ｂと、からなる。
【００１８】
天井材１３は、浴室ユニット１の天井を構成する。天井材１３は、所定の厚さを有した方形板状に形成される。天井材１３は、水平方向に広がるように配置される。天井材１３は、接続板材１４２及びネジ部材１４１により、４本の縦フレーム１２１の内側の側面に取り付けられる。床材１１と天井材１３と４本の縦フレーム１２１で囲まれた空間は、浴室ユニット１の浴室１０を構成する。
【００１９】
内壁材１６は、床材１１と天井材１３との間において、フレーム体１２の内側に取り付けられる。内壁材１６は、板状に形成され、上下方向に延びる。内壁材１６の上端部は、天井材１３の下方側において、天井材１３から離間して配置される。内壁材１６は、浴室ユニット１の内壁を構成する。内壁材１６は、バー部材１５に着脱可能に取り付けられることにより、フレーム体１２に対して着脱可能である。
【００２０】
内壁材１６は、内壁材１６の表面を構成するタイル材１６１と、タイル材１６１が貼り付けられる裏打ち材１６２と、を有する。また、内壁材１６は、フック状の複数の内壁材フック部材１６３を有する。最も上方の内壁材フック部材１６３は、内壁材１６の上端部に設けられる。内壁材フック部材１６３は、バー部材１５に吊り下げられる。
【００２１】
内壁材フック部材１６３は、内壁材１６の背面側に設けられる。内壁材フック部材１６３は、裏打ち材１６２の背面から水平に所定長さ延び、所定長さ延びた位置において下方に屈曲して延出する。複数の内壁材フック部材１６３は、上下方向に離間して複数配置されると共に、水平方向に離間して複数配置される。
【００２２】
内壁材１６をフレーム体１２に取り付ける際には、内壁材フック部材１６３をバー部材１５の内壁材側取付孔１５１ａに挿入した後に、内壁材１６を下方に移動させることで、内壁材フック部材１６３は、バー部材１５の内壁材側取付孔１５１ａの下側の管の厚み部分に引っ掛かる。これにより、内壁材１６は、バー部材１５に吊り下げられる。
【００２３】
内壁材１６をフレーム体１２から取り外す際には、内壁材１６を上方に移動させた後に、内壁材フック部材１６３を内壁材側取付孔１５１ａから引き抜くことで、内壁材フック部材１６３を内壁材側取付孔１５１ａの下側の管の厚み部分から取り外す。
【００２４】
内壁材１６の裏打ち材１６２の下端部には、下端部側から上側に窪む位置決め凹部（内壁材規制部）１６４が形成されている。位置決め凹部１６４は、床材１１における内壁材用位置決め突起（内壁材規制部）１１１に係止可能である。位置決め凹部１６４が内壁材用位置決め突起１１１に係止されることで、内壁材１６の下端部が、縦フレーム１２１に近づく方向及び縦フレーム１２１から離れる方向へ移動することが規制される。
【００２５】
内壁材側モール１７は、内壁材１６と天井材１３との間を埋めるように配置される。内壁材側モール１７は、フレーム体１２の内側において、内壁材１６と天井材１３との間に嵌合している。内壁材側モール１７は、縦フレーム１２１の内面に沿って、フレーム体１２の周方向の全域に亘って配置されている。内壁材側モール１７は、意匠性を向上させる目的で取り付けられる部材であり、例えば、樹脂部材で形成される。
【００２６】
外壁材１８は、フレーム体１２の外側に取り付けられる。外壁材１８は、板状に形成され、上下方向に延びる。外壁材１８の上端部は、浴室ユニット１に隣接する部屋３０の天井材３１の下方側において、隣接する部屋３０の天井材３１から離間して配置される。浴室ユニット１に隣接する部屋３０の天井材３１は、例えば、浴室ユニット１と反対側の端部において、接続板材３２２を介して、ネジ部材３２１により、家の構造物に取り付けられている（固定されている）。外壁材１８は、浴室ユニット１に隣接する部屋３０の内壁を構成する。見方を変えると、浴室ユニット１に隣接する部屋３０の内壁は、外壁材１８により構成され、浴室ユニット１の外壁とみなすこともできる。外壁材１８は、バー部材１５に着脱可能に取り付けられることにより、フレーム体１２に対して着脱可能である。
【００２７】
外壁材１８は、外壁材１８の表面を構成するパネル材１８１と、パネル材１８１が貼り付けられる裏打ち材１８２と、を有する。また、外壁材１８は、フック状の複数の外壁材フック部材１８３を有する。最も上方の外壁材フック部材１８３は、外壁材１８の上端部に設けられる。外壁材フック部材１８３は、バー部材１５に吊り下げられる。
【００２８】
外壁材フック部材１８３は、外壁材１８の背面側に設けられる。外壁材フック部材１８３は、裏打ち材１８２の背面から水平に所定長さ延び、所定長さ延びた位置において下方に屈曲して延出する。複数の外壁材フック部材１８３は、上下方向に離間して複数配置されると共に、水平方向に離間して複数配置される。
【００２９】
外壁材１８をフレーム体１２に取り付ける際には、外壁材フック部材１８３をバー部材１５の外壁材側取付孔１５１ｂに挿入した後に、外壁材１８を下方に移動させることで、外壁材フック部材１８３は、バー部材１５の外壁材側取付孔１５１ｂの下側の管の厚み部分に引っ掛かる。これにより、外壁材１８は、バー部材１５に吊り下げられる。このようにして、外壁材１８は、バー部材１５に取り付けられることで、フレーム体１２に取り付けられる。
【００３０】
外壁材１８をフレーム体１２から取り外す際には、外壁材１８を上方に移動させた後に、外壁材フック部材１８３を外壁材側取付孔１５１ｂから引き抜くことで、外壁材フック部材１８３を外壁材側取付孔１５１ｂの下方側の管の厚み部分から取り外す。
【００３１】
外壁材１８の裏打ち材１８２の下端部には、端部側から窪む位置決め凹部（外壁材規制部）１８４が形成されている。位置決め凹部１８４は、床材１１における外壁材用位置決め突起（外壁材規制部）１１２に係止可能である。位置決め凹部１８４が外壁材用位置決め突起１１２に係止されることで、外壁材１８の下端部が、縦フレーム１２１に近づく方向及び縦フレーム１２１から離れる方向へ移動することが規制される。
【００３２】
外壁材側モール１９は、外壁材１８と浴室ユニット１に隣接する部屋３０の天井材３１との間を埋めるように配置される。外壁材側モール１９は、フレーム体１２の外側において、外壁材１８と隣接する部屋３０の天井材３１との間に嵌合している。外壁材側モール１９は、浴室ユニット１に隣接する部屋３０の周方向の全域に亘って配置されている。外壁材側モール１９は、意匠性を向上させる目的で取り付けられる部材であり、例えば、樹脂部材で形成される。
【００３３】
次に、外壁材１８をフレーム体１２に取り付ける方法及び外壁材１８をフレーム体１２から取り外す方法について説明する。図３は、本実施形態に係る浴室ユニット１において、外壁材１８を取り付ける方法を説明する図である。図４は、本実施形態に係る浴室ユニット１において、外壁材１８を取り外す方法を説明する図である。
【００３４】
フレーム体１２に外壁材１８を取り付ける場合には、図３に示すように、例えば、フレーム体１２に内壁材１６を取り付けた状態で、浴室ユニット１に隣接する部屋３０の天井材３１と外壁材１８との間に所定の隙間が形成されるように、フレーム体１２に外壁材１８を取り付ける。例えば、浴室ユニット１の一の側面において、バー部材１５の外壁材側取付孔１５１ｂに、外壁材１８の外壁材フック部材１８３を引っ掛けて、外壁材１８を下方に移動させて、フレーム体１２に外壁材１８を吊り下げる。最も上方の外壁材フック部材１８３が外壁材１８の上端部に設けられるため、外壁材１８は、上端部において、安定して固定される。この際、外壁材１８の下端部において、位置決め凹部１８４を外壁材用位置決め突起１１２に係止させる。フレーム体１２に外壁材１８を取り付けることにより、浴室ユニット１の外壁が形成されると共に、浴室ユニット１に隣接する部屋３０の内壁が形成される。その後、外壁材１８と浴室ユニット１に隣接する部屋３０の天井材３１との間に外壁材側モール１９を嵌め込む。外壁材側モール１９は、外壁材１８の上端部が外壁材フック部材１８３で安定して固定されるため、外壁材１８の上端部に安定して支えられ、外壁材１８と天井材３１との間で安定的に固定される。
【００３５】
フレーム体１２から外壁材１８を取り外す場合には、図４に示すように、まず、外壁材１８と浴室ユニット１に隣接する部屋３０の天井材３１との間に配置された外壁材側モール１９を取り外す。ここで、外壁材１８の上端部は、天井材１３から離間している。そのため、外壁材１８の上方側には、外壁材１８を上方側へ移動させるための空間が確保される。そして、外壁材１８と天井材３１との間の空間を利用して、外壁材１８を上方へ移動させながら、外壁材側取付孔１５１ｂから外壁材フック部材１８３を抜き出すことで、フレーム体１２から外壁材１８を取り外す。よって、外壁材１８を上方側に移動できるため、フレーム体１２から外壁材１８を取り外す作業が容易である。
【００３６】
以上説明した本実施形態の浴室ユニット１によれば、以下のような効果を奏する。
本実施形態の浴室ユニット１は、床材１１と、床材１１の外周における上面側に立設される複数の縦フレーム１２１を有するフレーム体１２と、フレーム体１２の内側に取り付けられる内壁材１６と、フレーム体１２の外側に取り付けられる外壁材１８と、を備え、内壁材１６は、浴室ユニット１の内壁を構成し、外壁材１８は、浴室ユニット１に隣接する部屋の内壁を構成する。見方を変えると、浴室ユニット１に隣接する部屋３０の内壁は、外壁材１８により構成され、浴室ユニット１の外壁とみなすこともできる。そのため、浴室ユニット１と浴室ユニット１に隣接する部屋３０との間に壁材を設ける必要がない。これにより、浴室ユニット１と浴室ユニット１に隣接する部屋３０との間に配置される壁材の全体の厚みを小さくできる。よって、浴室ユニット１の浴室１０のスペースを広くしたり、隣接する部屋３０のスペースを広くすることができる。
【００３７】
外壁材１８の上端部を、浴室ユニット１に隣接する部屋３０の天井材３１から離間して配置した。これにより、天井材１３を外さずに外壁材１８を上方側に移動できるので、外壁材１８の移動の自由度が高く、かつ、外壁材１８の取り付け及び取り外しを簡単に行うことができる。よって、外壁材１８の取り付け及び取り外しの作業性を向上させられる。
【００３８】
外壁材１８と隣接する部屋３０の天井材３１との間を埋めるように配置される外壁材側モール１９を備える。そのため、外壁材１８と天井材１３との間において、意匠性が向上させられる。
【００３９】
外壁材１８は、その背面側に、フレーム体１２に吊り下げられる外壁材フック部材１８３を有する。そのため、外壁材フック部材１８３をフレーム体１２に吊り下げるだけで、外壁材１８をフレーム体１２に取り付けることができる。よって、外壁材１８をフレーム体１２に取り付ける作業性が向上させられる。
【００４０】
外壁材１８の下端部が縦フレーム１２１に近づく方向及び縦フレーム１２１から離れる方向へ移動することを規制する外壁材用位置決め突起１１２及び位置決め凹部１８４を備える。これにより、外壁材１８をフレーム体１２へ取り付ける際に、簡単に、外壁材１８の下端部を位置決めできる。
【００４１】
以上、本発明の浴室ユニットの好ましい一実施形態について説明したが、本発明は、上述した実施形態に制限されるものではなく、適宜変更が可能である。
例えば、前記実施形態では、内壁材１６又は外壁材１８を、複数のバー部材１５に対して吊り下げるように構成したが、これに限らない。縦フレーム１２１に開口を設けることで、内壁材１６又は外壁材１８を、縦フレーム１２１の開口に吊り下げるように構成してもよい。
【００４２】
また、前記実施形態においては、内壁材１６又は外壁材１８を、縦フレーム１２１に対して吊り下げるように構成したが、これに限られない。例えば、内壁材１６又は外壁材１８を、縦フレーム１２１に嵌合させるように構成してもよい。
【００４３】
また、前記実施形態においては、内壁材用位置決め突起１１１や外壁材用位置決め突起１１２を、その部分が突出するような突起として構成したが、これに限らない。突起に代えて、突出する部分が水平方向に延びる突出溝のように構成してもよい。
【００４４】
また、前記実施形態においては、内壁材１６又は外壁材１８を、複数のバー部材１５に対して内壁材フック部材１６３又は外壁材フック部材１８３で吊り下げるように構成したが、これに限らない。内壁材１６又は外壁材１８を、フレーム体１２に直接取り付けてもよい。
【符号の説明】
【００４５】
１  浴室ユニット
１１  床材
１２  フレーム体
１３  天井材
１６  内壁材
１８  外壁材
１１２  外壁材用位置決め突起（外壁材規制部）
１２１  縦フレーム（フレーム部材）
１８４  位置決め凹部（外壁材規制部）
１８３  外壁材フック部材（外壁材吊り下げ部材）
【図１】
2016089520.tif 000003
【図２】
2016089520.tif 000004
【図３】
2016089520.tif 000005
【図４】
2016089520.tif 000006